(57)【要約】【課題】  下面が前後方向に延びるエッジを両側縁に備えている滑走面に形成されている滑走板と、当該滑走板の上面に配備されているハンドル部であって、上端側に握り部を有し、下端側が前記滑走板の前方側の上面側に備えられている回転軸に回動自在に取り付けられて、前記握り部が設けられている上端側が当該回転軸を中心として上下方向に回動自在とされているハンドル部とを備えたハンドル付きスノーボードにおいて、回転滑走における走行安定性や回転性能を向上させる。【解決手段】  ハンドル部の下端側が滑走板の前方側の上面側に回動自在に取り付けられている回転軸が滑走板を横切る位置より前方側における滑走板の横幅の大きさが、回転軸が前記滑走板を横切る位置における前記滑走板の横幅の大きさ以下であり、滑走面の両側縁に備えられているエッジが、前記回転軸が前記滑走板を横切る位置を越えて更に前方に延びているハンドル付きスノーボードによって課題を解決した。【選択図】  図１
2005125011.tif 000002
【特許請求の範囲】
【請求項１】
下面が前後方向に延びるエッジを両側縁に備えている滑走面に形成されている滑走板と、当該滑走板の上面に配備されているハンドル部であって、上端側に握り部を有し、下端側が前記滑走板の前方側の上面側に備えられている回転軸に回動自在に取り付けられて、前記握り部が設けられている上端側が当該回転軸を中心として上下方向に回動自在とされているハンドル部とを備えたハンドル付きスノーボードであって、
前記回転軸が前記滑走板を横切る位置より前方側における前記滑走板の横幅の大きさが、前記回転軸が前記滑走板を横切る位置における前記滑走板の横幅の大きさ以下であり、
滑走面の両側縁に備えられているエッジが、前記回転軸が前記滑走板を横切る位置を越えて更に前方に延びている
ことを特徴とするハンドル付きスノーボード。
【請求項２】
下面が前後方向に延びるエッジを両側縁に備えている滑走面に形成されている滑走板と、当該滑走板の上面に配備されているハンドル部であって、上端側に握り部を有し、下端側が前記滑走板の前方側の上面側に備えられている回転軸に回動自在に取り付けられて、前記握り部が設けられている上端側が当該回転軸を中心として上下方向に回動自在とされているハンドル部とを備えたハンドル付きスノーボードであって、
前記ハンドル部は、前記回転軸に回動自在に取り付けられている位置よりも前方側において、前記滑走板の上面側に当接する前方側下端を有しており、
当該前方側下端が前記滑走板の上面側に当接する位置より前方側における前記滑走板の横幅の大きさが、当該ハンドル部の前方側下端が前記滑走板の上面側に当接する位置における前記滑走板の横幅の大きさ以下であり、
滑走面の両側縁に備えられているエッジが、前記ハンドル部の前方側下端が前記滑走板の上面側に当接する位置を越えて更に前方に延びている
ことを特徴とするハンドル付きスノーボード。
【請求項３】
下面が前後方向に延びるエッジを両側縁に備えている滑走面に形成されている滑走板と、当該滑走板の上面に配備されているハンドル部であって、上端側に握り部を有し、下端側が前記滑走板の前方側の上面側に備えられている回転軸に回動自在に取り付けられて、前記握り部が設けられている上端側が当該回転軸を中心として上下方向に回動自在とされているハンドル部とを備えたハンドル付きスノーボードであって、
前記ハンドル部は、前記回転軸に回動自在に取り付けられている位置よりも前方側において、前記滑走板の上面側に当接する前方側下端を有しており、
当該前方側下端が前記滑走板の上面側に当接する位置と、前記回転軸が前記滑走板を横切る位置との間の所定の位置より前方側における前記滑走板の横幅の大きさが、当該所定の位置における前記滑走板の横幅の大きさ以下であり、
滑走面の両側縁に備えられているエッジが、前記ハンドル部の前方側下端が前記滑走板の上面側に当接する位置と、前記回転軸が前記滑走板を横切る位置との間の前記所定の位置を越えて更に前方に延びている
ことを特徴とするハンドル付きスノーボード。
【発明の詳細な説明】
【技術分野】
【０００１】
この発明は雪上を滑走するスノーボードに関する。更に詳しくは、下面が前後方向に延びるエッジを両側縁に備えている滑走面に形成されている滑走板と、当該滑走板の上面に配備されているハンドル部とからなるハンドル付きスノーボードに関する。このハンドル部は、上端側に握り部を有し、下端側が前記滑走板の前方側の上面側に備えられている回転軸に回動自在に取り付けられて、前記握り部が設けられている上端側が当該回転軸を中心として上下方向に回動自在とされているものである。
【背景技術】
【０００２】
スノーボードは、雪面上を滑走するための板であり、前方側と後方側の両端部に上向い方向に凸湾する反りが与えられ、立ち乗りするなどの点で、スキーの板と似た雪上用具又は雪上遊戯具である。
【０００３】
スノーボードは、スキー板よりも長さが短いが幅が著しく広いため、一枚の板に両足を乗せることができ、かつ足の向きをボードの長手方向に対して直角に置くことができる。
【０００４】
スノーボードを用いても、スキーと同じくスラローム（回転滑降）をすることができるが、スキー板に比べて長さが短く幅が広いので、操作は簡単で安定性がよく、初心者にはスキーよりも馴染みやすいと言われている。手慣れてくると、足腰の動きによってスノーボードを微妙に操ることもでき、熟達すれば、スキーで不可能な動きも可能となる。
【０００５】
上述のように、スノーボードは、スキーよりも馴染みやすいといえるが、例えば、スノーボードに乗った場合には、横向きの姿勢でバランスを取りながら、横方向に滑走するので、人間工学的に難点があり、操作も容易ではない。また、スノーボードに乗ると、下半身が用具に固定されるにもかかわらず、上半身が自由な状態となるため、体のバランスがとりにくいことなどから、初心者にとってボードを思い通りにコントロールすることは依然として容易でない。
【０００６】
このようなことから、下面が前後方向に延びるエッジを両側縁に備えている滑走面に形成されている滑走板と、当該滑走板の上面に配備されているハンドル部であって、上端側に握り部を有し、下端側が前記滑走板の前方側の上面側に備えられている回転軸に回動自在に取り付けられて、前記握り部が設けられている上端側が当該回転軸を中心として上下方向に回動自在とされているハンドル部とを備えたハンドル付きスノーボードが提案されている。このようなハンドル付きスノーボードは、前述した従来のスノーボードに比べ、前方を向いて前方に滑走するため、人間工学的に適したものとなり、また、ハンドルを上下に自在に動かして体のバランスをとることができるため、操作性が格段に向上する利点がある。
【特許文献１】特開２００１−３１０００８
【発明の開示】
【発明が解決しようとする課題】
【０００７】
従来のハンドル付きスノーボードは、滑走者が上端を握っているハンドルの下端が滑走板の前方側上面に支持されているため、滑走者が下側に向けて押す力や、滑走者の体重などが、ハンドル、滑走板を介して雪面に伝えられることになる。
【０００８】
このため、スラロームなどの回転滑走を行う場合に、前記ハンドルを支持している位置より前方側の滑走面の側縁に備えられているエッジが効きすぎて、大きな曲線を描くような曲がり方ができないという問題があった。ひどい場合には、エッジが雪中に食い込んだ状態になり、うまく曲がれなかったり、ときには逆走状態になるなどの問題点があった。
【０００９】
従来のハンドル付きスノーボードでは、滑走者がハンドルを握って自身の体に近づけるように引き付け、滑走板の前方先端部分を雪面から浮かしつつ滑走することが可能である。しかし、このような滑走方法は習得するのが容易ではない。また、直線走行の場合にこのようにすることが可能でも、スラロームなどの回転滑走の際にこのようにすることは困難であった。
【００１０】
この発明は、下面が前後方向に延びるエッジを両側縁に備えている滑走面に形成されている滑走板と、当該滑走板の上面に配備されているハンドル部であって、上端側に握り部を有し、下端側が前記滑走板の前方側の上面側に備えられている回転軸に回動自在に取り付けられて、前記握り部が設けられている上端側が当該回転軸を中心として上下方向に回動自在とされているハンドル部とを備えたハンドル付きスノーボードにおいて、回転滑走における走行安定性や回転性能を飛躍的に向上することを目的としている。
【課題を解決するための手段】
【００１１】
前記の課題を解決するため、この発明が提案するハンドル付きスノーボードは、下面が前後方向に延びるエッジを両側縁に備えている滑走面に形成されている滑走板と、当該滑走板の上面に配備されているハンドル部であって、上端側に握り部を有し、下端側が前記滑走板の前方側の上面側に備えられている回転軸に回動自在に取り付けられて、前記握り部が設けられている上端側が当該回転軸を中心として上下方向に回動自在とされているハンドル部とを備えているものであって、以下のいずれかの形態を具備しているものである。
【００１２】
第一の形態は、前記回転軸が前記滑走板を横切る位置より前方側における前記滑走板の横幅の大きさが、前記回転軸が前記滑走板を横切る位置における前記滑走板の横幅の大きさ以下であり、滑走面の両側縁に備えられているエッジが、前記回転軸が前記滑走板を横切る位置を越えて更に前方に延びていることを特徴とするものである。
【００１３】
第二の形態は、前記ハンドル部は、前記回転軸に回動自在に取り付けられている位置よりも前方側において、前記滑走板の上面側に当接する前方側下端を有しており、当該前方側下端が前記滑走板の上面側に当接する位置より前方側における前記滑走板の横幅の大きさが、当該ハンドル部の前方側下端が前記滑走板の上面側に当接する位置における前記滑走板の横幅の大きさ以下であり、滑走面の両側縁に備えられているエッジが、前記ハンドル部の前方側下端が前記滑走板の上面側に当接する位置を越えて更に前方に延びていることを特徴とするものである。
【００１４】
第三の形態は、前記ハンドル部は、前記回転軸に回動自在に取り付けられている位置よりも前方側において、前記滑走板の上面側に当接する前方側下端を有しており、当該前方側下端が前記滑走板の上面側に当接する位置と、前記回転軸が前記滑走板を横切る位置との間の所定の位置より前方側における前記滑走板の横幅の大きさが、当該所定の位置における前記滑走板の横幅の大きさ以下であり、滑走面の両側縁に備えられているエッジが、前記ハンドル部の前方側下端が前記滑走板の上面側に当接する位置と、前記回転軸が前記滑走板を横切る位置との間の前記所定の位置を越えて更に前方に延びていることを特徴とするものである。
【００１５】
本発明のハンドル付きスノーボードは、滑走板の中央側上面に立った滑走者が、ハンドル部の上端側に形成されている握り部を握って体を支え、滑走板の前方側上面に配備される回転軸を中心として上端側が上下方向に回動自在な当該ハンドル部を、上下動させてバランスをとりながら雪面を滑走するものである。
【００１６】
このようなハンドル付きスノーボードでは、滑走者が上端を握っているハンドル部の下端が滑走板の前方側上面に支持されているため、滑走者が下側に向けて押す力や、滑走者の体重などが、ハンドル部、滑走板を介して雪面に伝えられ、滑走板前方側のエッジが効きすぎて、スラロームなどの回転滑走を行う場合に、エッジが雪中に食い込み、大きな曲線を描くような曲がり方が難しいという問題がある。
【００１７】
本発明では、前述した形態を採用することにより、このような状態が生じる可能性を未然に防止するようにしたのである。
【００１８】
すなわち、滑走者が下側に向けて押す力や、滑走者の体重などが、ハンドル部、滑走板を介して雪面に伝えられる位置より前方側における滑走板の横幅の大きさが、当該位置における滑走板の横幅の大きさ以下になるように設定することによって、前述した状態が生じる可能性を未然に防止したのである。
【００１９】
そこで、前記の第一の形態のように、ハンドル部の下端側が回動自在に取り付けられている滑走板の前方側の上面側に備えられている回転軸が滑走板を横切る位置より前方側における滑走板の横幅の大きさが、回転軸が滑走板を横切る位置における滑走板の横幅の大きさ以下であるようにしたものである。
【００２０】
このようにすることによって、スラロームなどの回転滑走を行う場合であっても、滑走板の下面に形成されている滑走面の両側縁に備えられていて前後方向に延びるエッジの、前記回転軸が前記滑走板を横切る位置を越えて更に前方に延びている部分が、必要以上に雪面に食い込んで、うまく曲がれなくなるといった事態が生じることが防止される。
【００２１】
なお、現実には、回転動作を行う際、ハンドル部は、前記の回転軸に回動自在に取り付けられている位置よりも前方側におけるその前方側下端で滑走板の上面側に当接することがある。この場合には、滑走者が下側に向けて押す力や、滑走者の体重などは、ハンドル部、ハンドル部の前方側下端、滑走板を介して雪面に伝えられことになる。
【００２２】
そこで、前記の第二の形態のように、前記ハンドル部は、前記回転軸に回動自在に取り付けられている位置よりも前方側において、前記滑走板の上面側に当接する前方側下端を有しており、当該前方側下端が前記滑走板の上面側に当接する位置より前方側における前記滑走板の横幅の大きさが、当該ハンドル部の前方側下端が前記滑走板の上面側に当接する位置における前記滑走板の横幅の大きさ以下である形態にすることができる。
【００２３】
これによれば、スラロームなどの回転滑走を行う場合であっても、前後方向に延びるエッジを両側縁に備えている滑走面に下面が形成されている
滑走板の下面に形成されている滑走面の両側縁に備えられていて前後方向に延びるエッジの、ハンドル部の前方側下端が前記滑走板の上面側に当接する位置を越えて更に前方に延びている部分が、必要以上に雪面に食い込んで、うまく曲がれなくなるといった事態が生じることが防止される。
【００２４】
スノーボード等における滑走板の滑走面は、一般的に、中央側が上方に向けて凸湾し、前方側と後方側の滑走面が雪面に接触するように形成されている。すなわち、滑走面の後方側における雪面に接触する部分（例えば、図１、図２中、線分２７が通過する部分）から滑走板の後方側及び前方側（滑走板の中央側）に向かうに従って滑走面は上方に向けて凸湾されている。また、滑走面の前方側における雪面に接触する部分（例えば、図１、図２中、線分２６が通過する部分）から滑走板の後方側（滑走板の中央側）及び前方側に向かうに従って滑走面は上方に向けて凸湾されている。なお、一般的には、滑走面の前方側における雪面に接触する部分から滑走板の前方側に向かうに従って上方に向けて凸湾されている滑走面は、通常の滑走動作の際には雪面に接触しない面になっている。
【００２５】
本願の発明者が前述した本発明の第一、第二の形態について更に研究を重ねたところ、本発明のような形態のハンドル付きスノーボードにおいては、滑走面の前方側における雪面に接触する部分が存在する位置を、前記ハンドル部が前記回転軸に回動自在に取り付けられている位置よりも前方側において、前記ハンドル部の前方側下端が前記滑走板の上面側に当接する位置と、前記回転軸が前記滑走板を横切る位置との間にすることが走行安定性などの面で好ましいことがわかった。
【００２６】
そこで、滑走面の前方側における雪面に接触する部分が存在する位置を、前記ハンドル部が前記回転軸に回動自在に取り付けられている位置よりも前方側において、前記ハンドル部の前方側下端が前記滑走板の上面側に当接する位置と、前記回転軸が前記滑走板を横切る位置との間にする場合には、前述した第三の形態を採用することが走行安定性、スラロームなどの回転滑走を行う場合の安定性などの点から望ましい。
【００２７】
すなわち、前記ハンドル部は、前記回転軸に回動自在に取り付けられている位置よりも前方側において、前記滑走板の上面側に当接する前方側下端を有しており、当該前方側下端が前記滑走板の上面側に当接する位置と、前記回転軸が前記滑走板を横切る位置との間の所定の位置より前方側における前記滑走板の横幅の大きさが、当該所定の位置における前記滑走板の横幅の大きさ以下であり、滑走面の両側縁に備えられているエッジが、前記ハンドル部の前方側下端が前記滑走板の上面側に当接する位置と、前記回転軸が前記滑走板を横切る位置との間の前記所定の位置を越えて更に前方に延びていることを特徴とする形態である。
【００２８】
前記のハンドル部の前方側下端が滑走板の上面側に当接する位置と、回転軸が前記滑走板を横切る位置との間の前述した所定の位置が、滑走面の前方側における雪面に接触する部分が存在する位置に対応することになる。
【００２９】
これによれば、スラロームなどの回転滑走を行う場合であっても、滑走板の下面に形成されている滑走面の両側縁に備えられていて前後方向に延びるエッジの、前記所定の位置、すなわち、滑走面の前方側における雪面に接触する部分が存在する位置を越えて更に前方に延びている部分が、必要以上に雪面に食い込んで、うまく曲がれなくなるといった事態が生じることが防止される。
【００３０】
以上説明したこの発明のハンドル付きスノーボードによれば、回転滑走における走行安定性が向上し、初心者でも、スラロームなどの回転滑走で、安定して、大きく曲がれるようになる。
【発明の効果】
【００３１】
この発明のハンドル付きスノーボードによれば、下面が前後方向に延びるエッジを両側縁に備えている滑走面に形成されている滑走板と、当該滑走板の上面に配備されているハンドル部であって、上端側に握り部を有し、下端側が前記滑走板の前方側の上面側に備えられている回転軸に回動自在に取り付けられて、前記握り部が設けられている上端側が当該回転軸を中心として上下方向に回動自在とされているハンドル部とを備えたハンドル付きスノーボードにおいて、回転滑走における走行安定性や回転性能を飛躍的に向上することができる。そこで、初心者でも、スラロームなどの回転滑走で、安定して、大きく曲がれるようになる。
【発明を実施するための最良の形態】
【００３２】
この発明の実施形態を図面について説明する。
【００３３】
図１〜図５は、この発明のハンドル付きスノーボードの実施における一形態を示したものである。
【００３４】
この発明のハンドル付きスノーボード１は、滑走板２と、ハンドル部３とを備えている。滑走板２の下面は、前後方向（図２中、上下方向）に延びるエッジ２１ａ、２１ｂを両側縁に備えている滑走面２１に形成されている。ハンドル部３は、上端側に握り部３２、３２を有し、下端側が滑走板２の前方側の上面側に備えられている回転軸２４に回動自在に取り付けられて、滑走板２の上面に配備されている。ハンドル部３は、握り部３２、３２が、回転軸２４を中心として、両方向矢印３６（図３、図４）で示すように、上下方向に回動自在とされている。
【００３５】
滑走板２の前方側の上面の両側縁には、ヒンジ２２、２２が設けられている。
【００３６】
ハンドル部３は、支柱部分３１と、支柱部分３１の上端部で支柱部分３１と略直角に左右に伸びる握り部３２、３２と、支柱部分３１の下端側に備えられている側板３３、３３とを有している。
【００３７】
ハンドル部３は、側板３３、３３が滑走板２のヒンジ２２、２２の内側に位置するように配置される。
【００３８】
滑走板２の前方側の上面側に備えられている回転軸２４が、側板３３、３３に設けられている透孔と、ヒンジ２２、２２に設けられている透孔とを挿通し、これによって、握り部３２、３２が設けられているハンドル部３の上端側が、回転軸２４を中心として、両方向矢印３６（図３、図４）で示すように、上下方向に回動自在とされている。
【００３９】
更に、ハンドル部３は、回転軸２４に回動自在に取り付けられている位置よりも前方側において、滑走板２の上面側に当接する前方側下端３５（図４）を有している。
【００４０】
このハンドル付きスノーボード１を使用する者（滑走者）は、滑走板２の中央側上面に立ち、必要ならば、止め具付きベルト６で靴を固定する。そして、ハンドル部３の上端側に形成されている握り部３２、３２を握って体を支え、ハンドル部３を、滑走板２の回転軸２４を中心として両方向矢印３６（図３、図４）で示すように上下動させてバランスをとりながら雪面を滑走する。
【００４１】
この発明のハンドル付きスノーボード１においては、図２図示のように、ハンドル部３の前方側下端３５が滑走板２の上面側に当接する位置（図１、図２に符号２３で示す線分が通過する位置）より前方側（図１、図２における図面中下側）における滑走板２の横幅の大きさが、ハンドル部３の前方側下端３５が滑走板２の上面側に当接する位置における滑走板２の横幅の大きさ以下にされている。
【００４２】
このハンドル付きスノーボード１を使用する者（滑走者）が、回転動作を行う際、ハンドル部３はその前方側下端３５で滑走板２の上面側に当接することがある。この場合、滑走者が下側に向けて押す力や、滑走者の体重などは、矢印３７（図３、図４）のように、ハンドル部３、ハンドル部３の前方側下端３５、滑走板２を介して雪面に伝えられる。
【００４３】
このような力の伝達が行われる場合であっても、本発明のハンドル付きスノーボード１によれば、滑走板２の下面に形成されている滑走面２１の両側縁に備えられていて前後方向に延びているエッジ２１ａ、２１ｂの、ハンドル部３の前方側下端３５が滑走板２の上面側に当接する位置（図１、図２に符号２３で示す線分が通過する位置）を越えて更に前方に延びている部分が、必要以上に雪面に食い込むことがなくなる。ハンドル部３の前方側下端３５が滑走板２の上面側に当接する位置（図１、図２に符号２３で示す線分が通過する位置）より前方側（図１、図２における図面中下側）における滑走板２の横幅の大きさが、ハンドル部３の前方側下端３５が滑走板２の上面側に当接する位置における滑走板２の横幅の大きさ以下にされているからである。
【００４４】
そこで、回転滑走における走行安定性や回転性能を飛躍的に向上することができ、初心者でも、スラロームなどの回転滑走で、安定して、大きく曲がれるようになる。
【００４５】
なお、滑走動作の際に、滑走者が上端側を握っているハンドル部３から滑走板２を介しての雪面への力の伝達は、ハンドル部３の前方側下端３５のみを介して行われるものではない。そこで、スラロームなどの回転滑走で、より安定して、大きく曲がれるようにするためには、図示していないが、回転軸２４が滑走板２を横切る位置（図２中、符号２５で示す線分が通過する位置）より前方側における滑走板２の横幅の大きさが、回転軸２４が滑走板２を横切る位置における滑走板２の横幅の大きさ以下であるようにすることが望ましい。
【００４６】
このようにすれば、滑走者が上端側を握っているハンドル部３から滑走板２を介しての雪面への力の伝達が矢印３７（図３、図４）方向に行われる場合であっても、スラロームなどの回転滑走を行うときに、滑走板２の下面に形成されている滑走面２１の両側縁に備えられていて前後方向に延びているエッジ２１ａ、２１ｂの、回転軸２４が滑走板２を横切る位置を越えて更に前方に延びている部分が、必要以上に雪面に食い込んで、うまく曲がれなくなるといった事態が生じることが防止される。回転軸２４が滑走板２を横切る位置（図２中、符号２５で示す線分が通過する位置）より前方側における滑走板２の横幅の大きさが、回転軸２４が滑走板２を横切る位置における滑走板２の横幅の大きさ以下にされているからである（図示していない）。
【００４７】
なお、スノーボード等における滑走板２の滑走面は、一般的に、中央側が上方に向けて凸湾し、前方側と後方側の滑走面が雪面に接触するように形成されている。
【００４８】
そこで、滑走面２１の前方側における雪面に接触する部分が存在する位置（図２中、符号２６で示す線分が通過する位置）を、ハンドル部３の前方側下端３５が滑走板２の上面側に当接する位置と、回転軸２４が滑走板２を横切る位置との間にする場合、ハンドル部３の前方側下端３５が滑走板２の上面側に当接する位置と、回転軸２４が滑走板２を横切る位置との間の所定の位置（図２中、符号２６で示す線分が通過する位置であり、ここが、滑走面２１の前方側における雪面に接触する部分が存在する位置に該当する）より前方側における滑走板２の横幅の大きさが、当該所定の位置における滑走板２の横幅の大きさ以下であるようにすることが望ましい。
【００４９】
このようにすれば、滑走者が上端側を握っているハンドル部３から滑走板２を介しての雪面への力の伝達が矢印３７（図３、図４）方向に行われる場合であっても、スラロームなどの回転滑走を行うときに、滑走板２の下面に形成されている滑走面２１の両側縁に備えられていて前後方向に延びているエッジ２１ａ、２１ｂの、前記所定の位置（図２中、符号２６で示す線分が通過する位置＝滑走面２１の前方側における雪面に接触する部分が存在する位置）を越えて更に前方に延びている部分が、必要以上に雪面に食い込んで、うまく曲がれなくなるといった事態が生じることが防止される。ハンドル部３の前方側下端３５が滑走板２の上面側に当接する位置と、回転軸２４が滑走板２を横切る位置との間の所定の位置（図２中、符号２６で示す線分が通過する位置＝滑走面２１の前方側における雪面に接触する部分が存在する位置）より前方側における滑走板２の横幅の大きさが、当該所定の位置における滑走板２の横幅の大きさ以下にされているからである。
【００５０】
図中、符号４は支管４であり、支管４は、ハンドル部３の下側に、上端を回動自在に突設されている。支杆５は、滑走板２の上面に、下端部が回動自在に当接され、かつ支管４の開口している下端から、上端が支管４中に摺動自在に装入されている。ここで、支管４がハンドル部３に回動自在に突設され、支杆５が滑走板２に回動自在に当接され、かつ支管４中に摺動自在に装入されているため、スノーボードに乗った者が態勢を崩すことなく楽にハンドル３を上下動することができる。なお、スノーボードに乗った者がハンドル３を上下に動かすと、体のバランスをとることができる。ハンドル３を滑走板２と略平行になるまで下げた状態にすると、このハンドル付きスノーボード１を持ち運ぶことができる。
【００５１】
靴を固定する止め具付きベルト６は、滑走板２の長手方向の中央よりもやや後方の位置に配置され、ベルト６の両端は滑走板の幅方向の両端に固定されている。ここで、スノーボードに乗った者が、靴を滑走板２の上面に載せ、一側に基端が固定されているベルト６の先端側掛止部を靴の上から他側へ延ばし、他側に下端が回動自在に取り付けられている止め具の先端側にベルト６の先端側掛止部を掛止すると、靴を固定することができる。
【００５２】
以上、添付図面を参照して、この発明の実施形態を説明したが、この発明はかかる実施形態に限定されるものではなく、特許請求の範囲の記載から把握される技術的範囲において種々の形態に変更可能である。
【図面の簡単な説明】
【００５３】
【図１】この発明のハンドル付きスノーボードの一実施例を示す平面図である。
【図２】図１図示のハンドル付きスノーボードの滑走板の下面、即ち滑走面を説明する平面図である。
【図３】この発明のハンドル付きスノーボードの一実施例を示す左側面図である。
【図４】この発明のハンドル付きスノーボードの一実施例を示す図１中、Ａ−Ａ断面図である。
【図５】この発明のハンドル付きスノーボードの一実施例を示す背面図である。
【符号の説明】
【００５４】
１  ハンドル付きスノーボード
２  滑走板
３  ハンドル部
４  支管
５  支杆
６  ベルト
２１  滑走面
２２  ヒンジ
２４  回動軸
３１  支柱部分
３２  握り部
３３  側板
【図１】
2005125011.tif 000003
【図２】
2005125011.tif 000004
【図３】
2005125011.tif 000005
【図４】
2005125011.tif 000006
【図５】
2005125011.tif 000007